(57)【要約】【課題】画像の更新指示が連続的に入力された場合でも、より改善された応答を提供すること。【解決手段】情報表示装置は、表示面を有し、前記表示面の表示内容を書き換え可能な第１の表示体と、前記第１の表示体よりも書き換え速度が速い第１の表示領域を有し、前記第１の表示領域が前記表示面と重ならないように配置された第２の表示体と、前記第１の表示体に表示される画像である主画像の更新指示を入力する入力手段と、前記更新指示が入力されたタイミングを記憶する更新タイミング記憶手段と、前記更新タイミング記憶手段に記憶されたタイミングから、前記主画像の更新速度を算出する更新速度算出手段と、所定の画像を副画像として記憶する副画像記憶手段と、前記更新速度が第１のしきい値を超えた場合、前記副画像を前記第１の表示領域に表示させるよう前記第２の表示体を制御する表示制御手段とを有する。【選択図】図１
2009128630.tif 000002
【特許請求の範囲】
【請求項１】
表示面を有し、前記表示面の表示内容を書き換え可能な第１の表示体と、
前記第１の表示体よりも書き換え速度が速い第１の表示領域を有し、前記第１の表示領域が前記表示面と重ならないように配置された第２の表示体と、
前記第１の表示体に表示される画像である主画像の更新指示を入力する入力手段と、
前記更新指示が入力されたタイミングを記憶する更新タイミング記憶手段と、
前記更新タイミング記憶手段に記憶されたタイミングから、前記主画像の更新速度を算出する更新速度算出手段と、
所定の画像を副画像として記憶する副画像記憶手段と、
前記更新速度が第１のしきい値を超えた場合、前記副画像を前記第１の表示領域に表示させるよう前記第２の表示体を制御する表示制御手段と
を有する情報表示装置。
【請求項２】
前記第２の表示体が、前記表示面と重なるように配置された第２の表示領域を有し、
前記表示制御手段が、前記更新速度が第２のしきい値（第１のしきい値＜第２のしきい値を満たす）以下である場合、前記主画像を低解像度に変換して得られた画像を仮画像として前記第２の表示領域に表示させるよう前記第２の表示体を制御する
ことを特徴とする請求項１に記載の情報表示装置。
【請求項３】
前記仮画像の解像度は可変であり、前記更新速度が大きくなるほどより低解像度となる
ことを特徴とする請求項２に記載の情報表示装置。
【請求項４】
前記入力手段が、回転式の操作子を含み、
前記更新速度が、前記操作子の回転速度により指定される
ことを特徴とする請求項１乃至３に記載の情報表示装置。
【請求項５】
前記副画像が動画である
ことを特徴とする請求項１乃至３に記載の情報表示装置。
【請求項６】
表示面を有し、前記表示面の表示内容を書き換え可能な第１の表示体と、前記第１の表示体よりも書き換え速度が速い第１の表示領域を有し、前記第１の表示領域が前記表示面と重ならないように配置された第２の表示体と、所定の画像を副画像として記憶する副画像記憶手段とを有する情報表示装置に、
前記第１の表示体に表示される画像である主画像の更新指示を入力するステップと、
前記更新指示が入力されたタイミングを記憶する更新タイミング記憶手段に記憶するステップと、
前記更新タイミング記憶手段に記憶されたタイミングから、前記主画像の更新速度を算出するステップと、
前記更新速度がしきい値を超えた場合、前記副画像を前記第１の表示領域に表示させるよう前記第２の表示体を制御するステップと
を実行させるプログラム。
【発明の詳細な説明】
【技術分野】
【０００１】
本発明は、２つの表示体を有する情報表示装置を制御する技術に関する。
【背景技術】
【０００２】
コレステリック液晶ディスプレイや電気泳動ディスプレイ（Electrophoretic Display、以下「ＥＰＤ」という）等、記憶性表示素子を有する表示体（以下、「記憶性表示体」という）は、その特性を生かし、いわゆる電子ペーパや電子ブックなどの情報表示装置に用いられている。記憶性表示素子は表示を保持するのに電力を必要としないという特長を有している一方、非記憶性表示素子と比較すると一般的に表示の書き換え速度が遅いという問題がある。ディスプレイ全体で考えると書き換えに要する時間は画素数に比例するので、ディスプレイを高解像度化すると書き換えに要する時間はより長くなってしまう。このため、高解像度の記憶性表示体を有する情報表示装置に対していわゆるＧＵＩ（Graphical User Interface）を適用した場合に、十分な応答速度を得られないという問題があった。
【０００３】
記憶性表示体を有する情報表示装置における応答速度を改善する技術として、例えば特許文献１−３に記載の技術がある。特許文献１は、メインディスプレイとサブディスプレイとを有する画像表示装置において、サブディスプレイにポインタを表示する技術を開示している。特許文献２は、メインディスプレイとサブディスプレイとを有する画像表示装置において、サブディスプレイにメニューを表示する技術を開示している。
【０００４】
【特許文献１】特開２００６−２５９５０６号公報
【特許文献２】特開２００７−１１４５４４号公報
【特許文献３】特開２００４−１０２６６１号公報
【発明の開示】
【発明が解決しようとする課題】
【０００５】
特許文献１−３に記載の技術はいずれも、メニュー画面における応答速度を改善するものであった。ここで電子ペーパや電子ブックのような情報表示装置は、複数ページからなる文書の表示に用いられることが多い。しかしこのような文書に対してページの更新（ページめくり）を連続的に行った場合の応答速度は、特許文献１−３に記載の技術によっても改善することは難しかった。
【０００６】
これに対し本発明は、情報表示装置において、画像の更新指示が連続的に入力された場合でも、より改善された応答を提供する。
【課題を解決するための手段】
【０００７】
上述の課題を解決するため、本発明は、表示面を有し、前記表示面の表示内容を書き換え可能な第１の表示体と、前記第１の表示体よりも書き換え速度が速い第１の表示領域を有し、前記第１の表示領域が前記表示面と重ならないように配置された第２の表示体と、前記第１の表示体に表示される画像である主画像の更新指示を入力する入力手段と、前記更新指示が入力されたタイミングを記憶する更新タイミング記憶手段と、前記更新タイミング記憶手段に記憶されたタイミングから、前記主画像の更新速度を算出する更新速度算出手段と、所定の画像を副画像として記憶する副画像記憶手段と、前記更新速度が第１のしきい値を超えた場合、前記副画像を前記第１の表示領域に表示させるよう前記第２の表示体を制御する表示制御手段とを有する情報表示装置を提供する。
この情報表示装置によれば、更新速度が第１のしきい値を超えた場合、所定の画像が第１の表示領域に表示される。
【０００８】
好ましい態様において、前記第２の表示体が、前記表示面と重なるように配置された第２の表示領域を有し、前記表示制御手段が、前記更新速度が第２のしきい値（第１のしきい値＜第２のしきい値を満たす）以下である場合、前記主画像を低解像度に変換して得られた画像を仮画像として前記第２の表示領域に表示させるよう前記第２の表示体を制御してもよい。
この情報表示装置によれば、更新速度が第２のしきい値以下である場合、主画像を低解像度に変換して得られた画像が第２の表示領域に表示される。
【０００９】
別の好ましい態様において、前記仮画像の解像度は可変であり、前記更新速度が大きくなるほどより低解像度となってもよい。
この情報表示装置によれば、更新速度が大きくなるほど解像度がより低くなるように変換された画像が第２の表示領域に表示される。
【００１０】
さらに別の好ましい態様において、前記入力手段が、回転式の操作子を含み、前記更新速度が、前記操作子の回転速度により指定されてもよい。
この情報装置によれば、回転式操作子の回転速度により指定される更新速度が第１のしきい値を超えた場合、所定の画像が第１の表示領域に表示される。
【００１１】
さらに別の好ましい態様において、前記副画像が動画であってもよい。
この情報装置によれば、更新速度が第１のしきい値を超えた場合、所定の動画が第１の表示領域に表示される。
【００１２】
また、本発明は、表示面を有し、前記表示面の表示内容を書き換え可能な第１の表示体と、前記第１の表示体よりも書き換え速度が速い第１の表示領域を有し、前記第１の表示領域が前記表示面と重ならないように配置された第２の表示体と、所定の画像を副画像として記憶する副画像記憶手段とを有する情報表示装置に、前記第１の表示体に表示される画像である主画像の更新指示を入力するステップと、前記更新指示が入力されたタイミングを記憶する更新タイミング記憶手段に記憶するステップと、前記更新タイミング記憶手段に記憶されたタイミングから、前記主画像の更新速度を算出するステップと、前記更新速度がしきい値を超えた場合、前記副画像を前記第１の表示領域に表示させるよう前記第２の表示体を制御するステップとを実行させるプログラムを提供する。
このプログラムによれば、更新速度が第１のしきい値を超えた場合、所定の画像が第１の表示領域に表示される。
【発明を実施するための最良の形態】
【００１３】
１．構成
図１は、本発明の一実施形態に係る情報表示装置１の機能構成を示す図である。表示体１１（第１の表示体）は、表示面の表示内容を書き換え可能な表示体である。表示体１２（第２の表示体）は、表示体１１よりも書き換え速度が速い表示体である。表示体１２は、表示体１１の表示面と重ならない位置に配置された表示領域１２Ａ（第１の表示領域）を有する。更新指示入力部１３は、メイン画像（主画像）の更新指示を入力する。「メイン画像」とは、表示体１１に表示される画像をいう。更新タイミング記憶部１４は、更新指示が入力されたタイミングを記憶する。更新速度算出部１５は、更新タイミング記憶部１４に記憶されたタイミングから、メイン画像の更新速度を算出する。副画像記憶部１６は、所定の画像をサブ画像（副画像）として記憶する。表示制御部１７（表示制御手段）は、更新速度がしきい値を超えた場合、サブ画像を表示領域１２Ａに表示させるよう表示体１２を制御する。表示制御部１８は、主画像記憶部１９に記憶されたメイン画像を表示体１１に表示させる。
【００１４】
また、表示体１２は、表示体１１の表示面と重なるように配置された表示領域１２Ｂ（
第２の表示領域）を有する。表示制御部１７は、更新速度が第２のしきい値以下である場合、メイン画像を低解像度に変換して得られた画像を仮画像として前記第２の表示領域に表示させるよう前記第２の表示体を制御する。ここで、第１のしきい値はおよび第２のしきい値は、第１のしきい値＜第２のしきい値を満たす。
【００１５】
図２は、情報表示装置１のハードウェア構成を示す図である。ＣＰＵ（Central Processing Unit）１０１は、情報表示装置１の構成要素を制御する制御装置である。ＲＯＭ（Read Only Memory）１０２は、情報表示装置１の起動に必要なプログラムやデータを記憶する不揮発性の記憶装置である。ＲＡＭ（Random Access Memory）１０３は、ＣＰＵ１０１がプログラムを実行する際のワークエリアとして機能する記憶装置である。ＶＲＡＭ（Video Random Access Memory）１０４は、メイン画像およびサブ画像を示す画像データを記憶する記憶装置である。ＶＲＡＭ１０４は、メイン画像およびサブ画像の記憶領域を有しており、メイン画像およびサブ画像はそれぞれ対応する記憶領域に記憶される。以下、ＶＲＡＭ１０４においてメイン画像に対応する記憶領域を「メイン記憶領域」といい、サブ画像に対応する記憶領域を「サブ記憶領域」という。Ｉ／Ｏ（Input/Output）１０５は、データや信号の入出力を管理するインターフェースである。ＵＩボタン群１０６は、ユーザの操作に応じた信号を出力する装置、例えば、ボタン（書き換えボタンやページ送りボタン、決定ボタンなど）・ホイール・キーパッド・タッチパネル・ペンデバイスなどの入力装置である。ＵＩボタン群１０６はＩ／Ｏ１０５に接続されており、ＵＩボタン群１０６はから出力された信号はＩ／Ｏ１０５を介してＣＰＵ１０１に入力される。
【００１６】
補助記憶装置１１５は、メイン画像となるコンテンツ・サブ画像となる属性データ・その他のデータを記憶する不揮発性の記憶装置、例えばハードディスクドライブやフラッシュメモリである。「コンテンツ」とは、メイン表示体１０７に画像として表示される情報、例えば文書である。「文書」とは文字および画像の少なくとも一方を含む情報をいう。文書は、ある単位、例えばページに区分されて記憶されている。また、文書は、ページの画像を示すデータに加え、そのページの属性を示すデータを含む。具体的に、補助記憶装置１１５は、例えばページ毎にそのページに対応する属性、例えばコメントを記憶している。このように補助記憶装置１１５は、少なくとも１単位の情報を含むコンテンツと、そのコンテンツに含まれる情報のうちある単位に対応する属性を記憶している。コンテンツの単位は、例えば、ページ・見開きページ・ページよりも小さい形式的な単位（例えばカラム）・ページとは独立した意味上の集合（例えば段落）などである。属性は、例えば、コメント・作成日・作成者・タイトル・ファイルサイズなどである。
【００１７】
メイン表示体１０７（第１の表示体）は、記憶性表示素子を有する表示体、例えばコレステリック液晶ディスプレイやＥＰＤである。メイン表示制御部１０８は、メイン表示体１０７の描画制御を行う信号を出力する装置である。以下、必要に応じてメイン表示体１０７とメイン表示制御部１０８をあわせて「メインディスプレイ」という。サブ表示体１０９（第２の表示体）は、記憶性表示素子以外の表示素子を有する表示体、例えば超ねじれネマチック液晶ディスプレイ（Super Twisted Nematic Liquid Crystal Display、ＳＴＮ−ＬＣＤ）である。サブ表示体１０９の表示書き換え速度は、メイン表示体１０７よりも速い。サブ表示制御部１１０は、サブ表示体１０９の描画制御を行う信号を出力する装置である。以下、必要に応じてサブ表示体１０９とサブ表示制御部１１０をあわせて「サブディスプレイ」という。サブ表示体１０９の解像度はメイン表示体１０７の解像度よりも低い。
【００１８】
電源オン・オフ回路１１１は、メイン表示制御部１０８およびサブ表示制御部１１０への電力の供給を行ったり停止したりする回路である。以下、ある構成要素に電力を供給することを「電源をオンする」と、電力の供給を停止することを「電源をオフする」という。電源制御部１１２は、情報表示装置１の電源管理を行う装置である。具体的には、電源制御部１１２は、電源オン・オフ回路１１１を制御してメイン表示制御部１０８およびサブ表示制御部１１０の電源をオンまたはオフする。また、電源制御部１１２は、電池１１３の残量を監視する。電池１１３は、メイン表示制御部１０８・サブ表示制御部１１０・ＣＰＵ１０１・ＲＡＭ１０３など、情報表示装置１の構成要素に電力を供給する。バス１１４は、構成要素間での信号の伝送に用いられる伝送路である。
【００１９】
ＲＯＭ１０２は、以下で説明する処理を行う制御プログラムを記憶している。ＣＰＵ１０１がこの制御プログラムを実行することにより、図１に示される機能が情報表示装置１に実装される。
【００２０】
図３は、情報表示装置１の外観を示す図である。図３においてメイン表示体１０７およびサブ表示体１０９を示す実線は、これらの表示面を示している。表示面とは、表示が行われる領域、すなわち表示素子が配置されている面をいう。サブ表示体１０９は、メイン表示体１０７の表示面の上に配置されている。すなわちサブ表示体１０９は、メイン表示体１０７よりもユーザの視点に近い位置に配置されている。この例でサブ表示体１０９の表示面の面積はメイン表示体１０７の表示面の面積よりも大きく、メイン表示体１０７の表示面はすべてサブ表示体１０９で覆われている。サブ表示体１０９の表示面の一部はメイン表示体１０７の表示面と重ならない位置に配置されている。サブ表示体１０９の表示面のうちメイン表示体１０７の表示面と重ならない部分には、表示領域１０９Ａ（第１の表示領域）が形成されている（図３中の斜線部分）。サブ表示体１０９の表示面のうちメイン表示体１０７の表示面と重なる部分には、表示領域１０９Ｂ（第２の表示領域）が形成されている。サブ表示体１０９は透過型の表示装置であり、電力を供給しない状態ではメイン表示体１０７の表示面からの光を透過する。
【００２１】
この例でＵＩボタン群１０６は、回転式の操作子であるホイール１０６Ｄを有している。ＵＩボタン群１０６は、ホイール１０６Ｄの回転角を検出し、検出した回転角を示す信号をＣＰＵ１０１に出力する機能を有している。
【００２２】
２．動作
図４は、情報表示装置１の動作を示すフローチャートである。図４のフローに先立って、メイン表示体１０７には、文書のうちあるページの画像が表示されている。
【００２３】
ステップＳ１０１において、ＣＰＵ１０１は、ページ更新（ページめくり）の指示が入力されたか判断する。この例で、ページの更新指示は、ホイール１０６Ｄを回転させることにより入力される。すなわちホイール１０６Ｄの回転角が所定のしきい値を超えるたびに、ＵＩボタン群１０６はＣＰＵ１０１に対してページの更新指示を示す信号を出力する。ＣＰＵ１０１は、ＵＩボタン群１０６からの信号に基づいて、更新指示があったか判断する。更新指示がなかったと判断された場合（Ｓ１０１：ＮＯ）、ＣＰＵ１０１は待機する。更新指示があったと判断された場合（Ｓ１０１：ＹＥＳ）、ＣＰＵ１０１は、処理をステップＳ１０２に移行する。
【００２４】
また、更新指示があったと判断された場合、ＣＰＵ１０１は、更新指示があった時刻をＲＡＭ１０３に記憶する。ＲＡＭ１０３には、更新指示の時刻を所定の回数（例えば、新しいものから１０回分）記憶する領域が確保されている。以下、更新指示があった時刻を示すデータを「更新指示タイミングデータ」という。
【００２５】
ステップＳ１０２において、ＣＰＵ１０１は、メイン表示体１０７に表示されているメイン画像を消去させるように、メイン表示制御部１０８を制御する。いまメイン表示体１０７はＥＰＤであるので、解像度にもよるが画像の消去には約１秒程度の時間がかかる。
【００２６】
ステップＳ１０３において、ＣＰＵ１０１は、メイン画像の消去が完了したか、すなわちメイン画像の消去に必要な時間が経過したか判断する。メイン画像の消去が完了したと判断された場合（Ｓ１０３：ＹＥＳ）、ＣＰＵ１０１は、処理をステップＳ１０５に移行する。メイン画像の消去が完了していないと判断された場合（Ｓ１０３：ＮＯ）、ＣＰＵ１０１は、処理をステップＳ１０４に移行する。
【００２７】
ステップＳ１０４において、ＣＰＵ１０１は、表示領域１０９Ａにページ送り画像を表示する。ここで、「ページ送り画像」とは、ページの更新（ページめくり）が行われていることを示す画像をいう。ＲＯＭ１０２は、ページ送り画像を示すデータをあらかじめ記憶している。特にこの例で、ＲＯＭ１０２は、複数のページ送り画像を示すデータを記憶している。複数のページ送り画像は、異なるページ番号の画像に対応する複数の画像を含む。また、複数のページ送り画像は、異なる回転速度に対応する複数の画像を含む。ＣＰＵ１０１は、ＲＯＭ１０２からページ送り画像を示すデータを読み出す。例えばいま表示されているメイン画像が文書の第３ページの画像であった場合、ＣＰＵ１０１は、ＲＯＭ１０２から第３ページのページ送り画像を示すデータを読み出す。ＣＰＵ１０１は、読み出したデータをＶＲＡＭ１０４のサブ記憶領域のうち表示領域１０９Ａに対応する記憶領域に記憶する。サブ表示制御部１１０は、サブ記憶領域に記憶されたデータに従ってサブ表示体１０９を制御し、表示領域１０９Ａにページ送り画像を表示させる。このときメイン表示体１０７では、メイン画像を消去中である。
【００２８】
図５は、ステップＳ１０４において表示されるページ送り画像を例示する図である。この例でページ送り画像は、ページの枠を示す線が折り曲げられている様子を示す画像である。これによりページがめくられていることが示される。またこのページ送り画像は、表示領域１０９Ａの下部中央に、ページ番号を示す「−３−」という情報を含んでいる。
【００２９】
再び図４を参照して説明する。ステップＳ１０５において、ＣＰＵ１０１は、ホイール１０６Ｄの回転速度、すなわちページ更新指示の速さ（単位時間あたりの更新指示の回数）としきい値との関係に基づいて、次に行う処理を決定する。詳細には以下の通りである。
【００３０】
まず、ＣＰＵ１０１は、ＲＡＭ１０３に記憶された更新指示タイミングデータに基づいて、ホイール１０６Ｄの回転速度（厳密には速さ）を算出する。また、ＣＰＵ１０１は、ＲＯＭ１０２から回転速度のしきい値を読み出す。ＲＯＭ１０２は、回転速度のしきい値をあらかじめ記憶している。この例で、ＲＯＭ１０２は、第１のしきい値Ｔｈ１および第２のしきい値Ｔｈ２の２つのしきい値を記憶している。しきい値Ｔｈ１およびＴｈ２は、Ｔｈ１＜Ｔｈ２を満たす。
【００３１】
次に、ＣＰＵ１０１は、算出された回転速度ｖとしきい値Ｔｈ１およびＴｈ２を比較する。ｖ≦Ｔｈ１の場合、ＣＰＵ１０１は、処理をステップＳ１０９に移行する。Ｔｈ１＜ｖ≦Ｔｈ２の場合、ＣＰＵ１０１は、処理をステップＳ１０６に移行する。ｖ＞Ｔｈ２の場合、ＣＰＵ１０１は、処理をステップＳ１０７に移行する。
【００３２】
ステップＳ１０６において、ＣＰＵ１０１は、表示領域１０９Ａにページ送り画像を、表示領域１０９Ｂに仮画像を、それぞれ表示する。ここで「仮画像」とは、メイン画像を低解像度に変換して得られた画像をいう。ページ送り画像を表示する処理の詳細はステップＳ１０４と同様であるので説明を省略する。仮画像を表示する処理の詳細は以下のとおりである。まず、ＣＰＵ１０１は、補助記憶装置１１５からメイン画像のデータを読み出す。ここで読み出されるデータは、ホイール１０６Ｄを介して入力されるページの更新指示により特定されるデータである。例えば、初期状態で第３ページを表示していた状態からページ更新の指示が４回（すなわち４ページ分）入力された場合、読み出されるデータは第７ページのデータである。ＣＰＵ１０１は、読み出したメイン画像のデータを、解像度がより低くなるように解像度変換を行う。変換後の解像度は、サブ表示体１０９の解像度、より詳細には表示領域１０９Ｂに表示可能な解像度である。ＣＰＵ１０１はこうして仮画像のデータを生成する。
【００３３】
図６は、メイン画像から生成された仮画像を例示する図である。仮画像は、表示対象となっている文書のうちあるページに対応したものであるが、完全に同一ではない。
【００３４】
ＣＰＵ１０１は、生成された仮画像のデータを、ＶＲＡＭ１０４のサブ記憶領域のうち表示領域１０９Ｂに対応する領域に記憶する。サブ表示制御部１１０は、サブ記憶領域に記憶されたデータに従ってサブ表示体１０９を制御し、表示領域１０９Ｂに仮画像を表示させる。ステップＳ１０６の処理が終了すると、ＣＰＵ１０１は処理をステップＳ１０８に移行する。
【００３５】
図７は、ステップＳ１０６において表示されるページ送り画像および仮画像を例示する図である。図５の例と同様に、表示領域１０９Ａにはページ送り画像が表示されている。これに加えて、表示領域１０９Ｂには仮画像が表示されている。このときメインディスプレイには何も表示されていない。
【００３６】
再び図４を参照して説明する。ステップＳ１０７において、ＣＰＵ１０１は、表示領域１０９Ａにページ送り画像を表示する。処理の詳細はステップＳ１０４と同様である。ただし、ここで表示されるページ送り画像は、ＲＯＭ１０２に記憶された複数のデータのうち、ステップＳ１０５で算出された回転速度に対応した画像である。またこのとき、表示領域１０９Ｂに仮画像が表示されていれば、ＣＰＵ１０１は、仮画像を消去するようにサブ表示制御部１１０を制御する。ステップＳ１０７の処理が終了すると、ＣＰＵ１０１は処理をステップＳ１０８に移行する。
【００３７】
図８は、ステップＳ１０７において表示されるページ送り画像を例示する図である。図５の例と同様に、表示領域１０９Ａにはページ送り画像が表示されている。このときメインディスプレイには何も表示されていない。
【００３８】
ステップＳ１０８において、ＣＰＵ１０１は、ページの更新指示がさらに入力されたか判断する。更新指示が入力されたと判断された場合（Ｓ１０８：ＹＥＳ）、ＣＰＵ１０１は、ステップＳ１０５−Ｓ１０８の処理を繰り返し実行する。更新指示が入力されていないと判断された場合（Ｓ１０８：ＮＯ）、ＣＰＵ１０１は、処理をステップＳ１０９に移行する。
【００３９】
ステップＳ１０９において、ＣＰＵ１０１は、更新指示により指定されたメイン画像をメイン表示体１０７に表示する。サブ表示体１０９にページ送り画像または仮画像が表示されている場合、ＣＰＵ１０１は、これらを消去するようにサブ表示制御部１１０を制御する。
【００４０】
以上で説明したように、本実施形態によれば、ページの更新指示を連続的に入力した場合でも、ページの更新が行われていることを示す画像がサブディスプレイに表示される。サブディスプレイに表示される画像は、更新指示の早さに応じて切り替えられる。
【００４１】
図９は、ページ更新指示の早さとサブディスプレイに表示される画像との関係を示す図である。横軸はページ番号を、縦軸はページ更新指示の速さを示している。ホイール１０６Ｄのような回転式操作子を操作して第３ページから第１００ページまで表示をスキップするような場合、ユーザは通常、最初はゆっくりと、次第に速くホイール１０６Ｄを回転させる。さらに、目的とするページに近づくと、ユーザは再びゆっくりとホイール１０６Ｄを回転させ、目的とするページが表示されたところで操作をやめる。
【００４２】
このような状況を想定すると、本実施形態によれば、まずページ更新指示の早さがしきい値Ｔｈ１を超えたところで、表示領域１０９Ａにページ送り画像が表示される。これに加え、表示領域１０９Ｂには仮画像が表示される。これによりユーザは、いま表示されようとしているページの大まかな内容と、さらに自分が行っている操作がページ更新（ページめくり）であるということを視認できる。そのため、より直感的な操作が可能となる。
【００４３】
さらにページ更新指示の早さがしきい値Ｔｈ２を超えると、表示領域１０９Ｂに仮画像が表示されず表示領域１０９Ａにページ送り画像が表示される。これによりユーザは、自分が入力しているページ更新指示の速さが速くなっていることを視認できる。そのため、より直感的な操作が可能となる。
【００４４】
３．他の実施形態
本発明は上述の実施形態に限定されるものではなく、種々の変形実施が可能である。以下、変形例をいくつか説明する。以下において、実施形態と共通する事項についてはその説明を省略する。また、実施形態と共通する構成要素については共通の参照符号が用いられる。以下の変形例のうち２つ以上のものが組み合わせて用いられてもよい。
【００４５】
３−１．変形例１
仮画像の解像度は可変であってもよい。すなわち、図４のステップＳ１０６においてメイン画像を解像度変換して仮画像を生成する際、変換後の解像度は、ホイール１０６Ｄの回転速度に基づいて定められてもよい。この場合、変換後の解像度は、回転速度が大きくなるほど低解像度になるように定められる。この例によれば、ホイール１０６Ｄの回転速度が高くなるほど仮画像が低解像度に、すなわちぼやけた画像になる。したがってユーザは、自分が操作するホイール１０６Ｄの回転速度が高くなっていることを直感的に感じることができる。
【００４６】
３−２．変形例２
ページ送り画像は動画であってもよい。動画は、例えば、ページをめくっている動作を示すものが用いられる。この例によれば、ユーザは、自分が行っている操作がページ更新であるということをより直感的に感じることができる。
【００４７】
３−３．変形例３
サブディスプレイに表示される画像を変更するのに用いられるしきい値の数は２つに限定されない。３つ以上のしきい値が用いられてもよい。例えば複数のページ送り画像が、ホイール１０６Ｄの回転速度に応じて切り替えて用いられてもよい。
【００４８】
３−４．変形例４
仮画像を表示する処理は省略されてもよい。すなわち図４のステップＳ１０５におけるしきい値の判定は、しきい値Ｔｈ１との大小関係を判断するだけでもよい。このときステップＳ１０６の処理は省略され、代わりにステップＳ１０７の処理が行われる。
【００４９】
３−５．変形例５
ページの更新指示を入力する操作子は、ホイール１０６Ｄに限定されない。ボタン・キーパッド・タッチパネル・ペンデバイスなど、どのような方式の入力装置が用いられてもよい。
【００５０】
３−６．他の変形例
情報表示装置１のハードウェア構成は、図２に示されるものに限定されない。必要な機能構成を実現できるものであれば、どのようなハードウェア構成が採用されてもよい。例えば、単一の装置が、図１の機能構成要素のうち複数の機能を有していてもよい。あるいは、複数の装置の集合体が、単一の機能を有していてもよい。
【００５１】
サブ表示体１０９は、記憶性表示体を用いたものでもよい。要はメイン表示体１０７よりも書き換え速度が速いものであればどのような表示体が用いられてもよい。また、メイン表示体１０７およびサブ表示体１０９の表示面の形状・大きさ・位置関係は実施例で説明したものに限定されない。
【００５２】
情報表示装置が記憶および実行するプログラムは、磁気テープ、磁気ディスク、フレキシブルディスク、光記録媒体、光磁気記録媒体、ＣＤ（Compact Disk）、ＤＶＤ（Digital Versatile Disk）、フラッシュＲＯＭなどの記録媒体に記録した状態で提供されてもよい。
【図面の簡単な説明】
【００５３】
【図１】一実施形態に係る情報表示装置１の機能構成を示す図である。
【図２】情報表示装置１のハードウェア構成を示す図である。
【図３】情報表示装置１の外観を示す図である。
【図４】情報表示装置１の動作を示すフローチャートである。
【図５】ステップＳ１０４におけるページ送り画像を例示する図である。
【図６】メイン画像から生成された仮画像を例示する図である。
【図７】ステップＳ１０６におけるページ送り画像および仮画像を例示する図である。
【図８】ステップＳ１０７におけるページ送り画像を例示する図である。
【図９】ページ更新指示の早さとサブディスプレイに表示される画像との関係を示す。
【符号の説明】
【００５４】
１…情報表示装置、１１…表示体、１２…表示体、１３…更新指示入力部、１４…更新タイミング記憶部、１５…更新速度算出部、１６…副画像記憶部、１７…表示制御部、１８…表示制御部、１９…主画像記憶部、１０１…ＣＰＵ、１０２…ＲＯＭ、１０３…ＲＡＭ、１０４…ＶＲＡＭ、１０５…Ｉ／Ｏ、１０６…ＵＩボタン群、１０７…メイン表示体、１０８…メイン表示制御部、１０９…サブ表示体、１１０…サブ表示制御部、１１１…電源オン・オフ回路、１１２…電源制御部、１１３…電池、１１４…バス、１１５…補助記憶装置
【図１】
2009128630.tif 000003
【図２】
2009128630.tif 000004
【図３】
2009128630.tif 000005
【図４】
2009128630.tif 000006
【図５】
2009128630.tif 000007
【図６】
2009128630.tif 000008
【図７】
2009128630.tif 000009
【図８】
2009128630.tif 000010
【図９】
2009128630.tif 000011